(57)【要約】台秤の側方を取り囲む包囲体１０を備える台秤であって、台秤２０は、台秤本体を基盤上で支える脚部の複数個所に、外方に延出する緩衝用部材を有し、包囲体１０は、台秤２０の側方を取り囲む側壁１０１のみによって構成され、基盤上に設置された側壁１０１の高さが、台秤２０の秤量皿２０１の上面における高さよりも低く設定され、基盤上に設置された側壁１０１が、緩衝用部材以外の台秤の部分には接触しない。包囲体１０が台秤２０の側方を塞ぐため、風による秤量皿２０１の浮き上がり方向の力が発生しない。被計量物を秤量皿２０１に載せるとき、秤量皿２０１より低い包囲体１０は邪魔にならない。
2014034612.tif 000002
【特許請求の範囲】
【請求項１】
台秤の側方を取り囲む包囲体を備える台秤であって、
前記台秤は、台秤本体を基盤上で支える脚部の複数個所に、外方に延出して前記包囲体との接触を緩衝する緩衝用部材を有し、
前記包囲体は、前記台秤の側方を取り囲む側壁によって構成され、
基盤上に設置された前記側壁が、前記緩衝用部材以外の前記台秤の部分には接触しないことを特徴とする包囲体を備える台秤。
【請求項２】
請求項１に記載の台秤であって、基盤上に設置された前記側壁の高さが、前記台秤の秤量皿の上面における高さよりも低く設定されていることを特徴とする包囲体を備える台秤。
【請求項３】
請求項１または２に記載の台秤であって、前記包囲体がステンレス製であることを特徴とする包囲体を備える台秤。
【請求項４】
請求項１から３のいずれかに記載の台秤であって、前記脚部に設けられた前記緩衝用部材が、衝撃を緩和する緩衝材を有することを特徴とする包囲体を備える台秤。
【請求項５】
請求項１から３のいずれかに記載の台秤であって、前記脚部に設けられた前記緩衝用部材が金属体から成り、前記包囲体との接触時に、前記金属体が、前記包囲体に設けられた緩衝材に接触することを特徴とする包囲体を備える台秤。
【請求項６】
請求項１から５のいずれかに記載の台秤であって、さらに、基盤上で前記包囲体の外側に設置される透明なプラスチック製の風防体を有し、前記風防体を前記包囲体の外側に沿って設置したとき、前記台秤の上方を覆う前記風防体の上面と秤量皿との間に、被計量物を前記秤量皿に載せることが可能な広さの空間が形成され、前記空間の側面の少なくとも三方が前記風防体で覆われることを特徴とする包囲体を備える台秤。
【請求項７】
請求項６に記載の台秤であって、前記風防体が、前記空間の開放された側面を封鎖することが可能な扉を有していることを特徴とする包囲体を備える台秤。
【発明の詳細な説明】
【技術分野】
【０００１】
本発明は、側方を取り囲む包囲体を備える台秤に関し、風などの影響を受けずに計量できるようにしたものである。
【背景技術】
【０００２】
台秤は、比較的重い被計量物の測定に用いられており、例えば、ドラム缶入りの薬液原料やガスの封入されたボンベ等の重量物を生産現場で計量するために使われている。
近年、生産現場では、重量物の重さを高い精度で測定する必要性が増えており、こうした高精度化の要請に応える台秤が下記特許文献に記載されている。
【先行技術文献】
【特許文献】
【０００３】
【特許文献１】ＷＯ  ２０１１／００１８７５
【発明の概要】
【発明が解決しようとする課題】
【０００４】
しかし、台秤の精度が向上すると、計量現場の風により計量値の表示に“チラツキ”が発生する。これは、台秤が置かれた床と台秤の秤量皿との間に風が吹き込み、秤量皿が吹き上げられることが原因している。
また、床に置かれた台秤に何かが衝突すると、その衝撃で高精度の台秤のゼロ点がズレてしまう虞がある。【０００５】
本発明は、こうした事情を考慮して創案したものであり、風や衝撃に影響されずに安定した計量が実施できる台秤を提供することを目的としている。
【課題を解決するための手段】
【０００６】
本発明は、台秤の側方を取り囲む包囲体を備える台秤であって、台秤は、台秤本体を基盤上で支える脚部の複数個所に、外方に延出して包囲体との接触を緩衝する緩衝用部材を有し、包囲体は、台秤の側方を取り囲む側壁によって構成され、基盤上に設置された側壁が、緩衝用部材以外の台秤の部分には接触しないことを特徴とする。
包囲体が台秤の側方を塞ぐため、風による秤量皿の浮き上がり方向の力が発生しない。また、包囲体は、台秤に横方向から加わる衝撃を防御する。【０００７】
また、本発明の台秤では、基盤上に設置された包囲体の側壁の高さを、台秤の秤量皿の上面における高さよりも低く設定することが望ましい。
包囲体の側壁の高さが秤量皿の上面位置より低く設定されていると、床に設置した台秤の秤量皿に被計量物を載せるとき、包囲体が邪魔にならない。【０００８】
また、本発明の台秤は、包囲体をステンレス鋼で構成することが望ましい。
重量がある包囲体は、横からの衝撃が台秤に及ぶことを防止する。【０００９】
また、本発明の台秤は、脚部に設けられた緩衝用部材が、衝撃を緩和する緩衝材を有する。
包囲体が衝撃を受け、そのために脚部が緩衝用部材の緩衝材を介して包囲体に接触する場合でも、脚部に伝わる衝撃は、緩衝材によって緩和される。秤量皿に包囲体の側壁が接触することはない。【００１０】
また、本発明の台秤では、脚部に設ける緩衝用部材を金属体で構成し、包囲体との接触時に、金属体が、包囲体に設けられた緩衝材に接触するようにしても良い。
このような構成でも、包囲体が衝撃を受けたときの台秤に及ぶ衝撃を緩和できる。【００１１】
また、本発明の台秤では、さらに、基盤上で包囲体の外側に設置される透明なプラスチック製の風防体を設け、風防体を包囲体の外側に沿って設置したとき、台秤の上方を覆う風防体の上面と秤量皿との間に、被計量物を秤量皿に載せることが可能な広さの空間が形成され、この空間の側面の少なくとも三方が風防体で覆われるようにしている。
風防体を設けることで、計量に対する風の影響を更に除くことができる。【００１２】
また、本発明の台秤では、風防体に、秤量皿上の空間の開放された側面を封鎖することが可能な扉を設けても良い。
秤量皿上の空間の三方の側面及び上面を風防体で塞ぎ、残る一側面を扉で覆うことにより、計量に対する風の影響を更に除くことができる。
【発明の効果】
【００１３】
本発明の台秤は、計測値の風によるチラツキを抑えることができ、また、衝撃によるゼロ点のズレ等を防ぐことができ、安定した計量が可能である。
【図面の簡単な説明】
【００１４】
【図１】本発明の実施形態に係る包囲体を備える台秤を示す図
【図２】図１の包囲体を示す図
【図３】図１の台秤を示す図
【図４】図３の台秤の秤量皿を取り除いた状態を示す図
【図５】図４の台秤の緩衝用部材を示す図
【図６】図３の台秤の平面図
【図７】図１の包囲体を備える台秤の平面図
【図８】図１の包囲体を備える台秤に風防体を付加した図
【図９】図８の風防体を示す図
【図１０】扉を設けた風防体を示す図
【発明を実施するための形態】
【００１５】
図１は、本発明の実施形態に係る包囲体１０を備える台秤２０を示している。
包囲体１０は、図２に示すように、側壁１０１のみによって構成されたステンレス製の四角形状の枠体であり、枠体の上面及び下面は開放されている。図１に示すように、側壁１０１の高さは、台秤２０の秤量皿２０１の上面位置より僅かに低くなるように設定されている。側壁１０１の上端と秤量皿２０１の上面との高さの差は、秤量皿２０１の側面の幅（図３）よりも小さいことが必要である。
【００１６】
図３は、秤量皿２０１が載置された台秤２０を示し、図４は、秤量皿２０１を除いた状態を示している。
この台秤２０は、秤量皿２０１を支えるフレーム２０２と、荷重センサが内蔵された荷重検出ユニット２０３と、荷重検出ユニット２０３の外郭ケースを支持する脚部２０４と、脚部２０４の高さを調節するアジャスタ２０５と、脚部２０４の角に設置された緩衝用部材２０６とを備えている。
フレーム２０２は秤量皿２０１に加わる荷重で下降し、この下降が荷重検出ユニット２０３に内蔵された荷重センサに伝わり、荷重センサによって秤量皿２０１に加わる荷重が検出される。脚部２０４には、フレーム２０２の下降量を制限するストッパピン２０７が設けられている。
【００１７】
脚部２０４に固定された緩衝用部材２０６は、脚部２０４の外側にまで延出している。緩衝用部材２０６は、包囲体１０の衝突を緩衝するために設けている。そのために、図５（ａ）に示すように、ゴム板などの板状緩衝材４１を取付け螺子５１で脚部２０４に直接固定し、あるいは、図５（ｂ）に示すように、板状緩衝板４１の先端を除く部分の両面を金属板４２で覆い、この金属板４２の被覆箇所を取付け螺子５１で脚部２０４に固定している。
また、図５（ｃ）に示すように、厚めの金属板４４を緩衝用部材２０６として脚部２０４に固定し、この金属板４４の先端に当接する緩衝材４３を包囲体１０の側に設けても良い。
【００１８】
図６は、この台秤２０の平面図を示しており、複数の緩衝用部材２０６の外周に接する直線（一点鎖線）が台秤２０の外縁を形成している。
また、図７は、包囲体１０の側壁１０１と台秤２０との位置関係を示している。このように、包囲体１０は、緩衝用部材２０６以外の台秤２０の部分には接触しない。
【００１９】
台秤２０と共に包囲体１０を床に設置すると、横方向から台秤２０に吹き込む風が包囲体１０で遮られるため、秤量皿２０１の浮き上がり方向の力が発生しない。その結果、計量値の表示のチラツキが減少する。
また、包囲体１０は、横方向から加わる衝撃を防御する役割を果たす。衝撃の多くは、ステンレス製の重い包囲体１０を振動したり移動したりすることができないため、衝撃が台秤２０にまで及ばない。また、包囲体１０の振動や移動を伴う衝撃が在ったとしても、緩衝用部材２０６がそれらを吸収するため、台秤２０の脚部２０４が包囲体１０から受ける衝撃は軽減される。また、この場合でも、包囲体１０の側壁は、秤量皿２０１に接触することはない。
また、包囲体１０の側壁１０１の高さは、秤量皿２０１の上面位置よりも低く設定されているため、被計量物を秤量皿２０１に載せるときに、包囲体１０は、それ程邪魔にならない。
【００２０】
図８は、包囲体１０を備える台秤２０に、さらに、透明なプラスチックから成る風防体３０を付加したものを示している。
この風防体３０は、図９に示すように、直方体の底面及び前面が開放された形状を有しており、直方体の奥行き及び横幅は、包囲体１０のそれに近似し、直方体の縦方向の長さ、即ち、直方体の上面３０１までの高さは、包囲体１０の側壁１０１や秤量皿２０１の上面の高さより遥かに高い。
そのため、この風防体３０を台秤２０の包囲体１０の外側面に沿わせて床面に配置すると、風防体３０の上面３０１と秤量皿２０１との間に、三方の側面が風防体３０によって塞がれ、前面だけが、開放された空間が形成される。この空間の前面の開放面は、被計量物を秤量皿２０１に載せることができる広さを有しているため、風防体３０を設置したまま、秤量皿２０１に被計量物を載せることができる。
【００２１】
また、図１０に示すように、この風防体３０の前面を覆う透明な扉３０２を設け、この扉３０２を風防体３０の上面３０１側に折り返して、開放された前面から被計量物を秤量皿２０１に載せ、その後、前面を扉３０２で覆って計量を実行するようにしても良い。
なお、扉は、水平方向に開く両開き扉や片開き扉であっても良い。
この風防体３０を設けることで、台秤２０の下側に吹き込む風だけでなく、台秤２０の上側に吹く風の計量に与える影響も弱めることができるため、台秤２０の測定精度の更なる向上が可能になる。
【００２２】
なお、ここで示した構成は、一例であって、本発明は、その構成だけに限定されるものではない。
包囲体は、床等に設置する大型の台秤だけでなく、卓上タイプの小型の台秤にも適用することができる。卓上タイプの秤の場合、包囲体の側壁の高さは、秤量皿の上面より多少高くても良い。側壁が秤量皿より高くても、被計量物を秤量皿に載せる際に、それ程邪魔にならないからである。
【産業上の利用可能性】
【００２３】
本発明の包囲体を備える台秤は、風や衝撃による精度の低下を防ぐことができ、台秤の高精度化を求めている生産現場などで広く利用することができる。
【符号の説明】
【００２４】
１０    包囲体
２０    台秤
３０    風防体
４１    板状緩衝材
４２    金属板
４３    緩衝材
４４    金属板
５１    取付け螺子
１０１  側壁
２０１  秤量皿
２０２  フレーム
２０３  荷重検出ユニット
２０４  脚部
２０５  アジャスタ
２０６  緩衝用部材
２０７  ストッパピン
３０１  風防体上面
３０２  扉
【図１】
2014034612.tif 000003
【図２】
2014034612.tif 000004
【図３】
2014034612.tif 000005
【図４】
2014034612.tif 000006
【図５】
2014034612.tif 000007
【図６】
2014034612.tif 000008
【図７】
2014034612.tif 000009
【図８】
2014034612.tif 000010
【図９】
2014034612.tif 000011
【図１０】
2014034612.tif 000012
【国際調査報告】
2014034612.tif 000013
2014034612.tif 000014
2014034612.tif 000015
2014034612.tif 000016